(57)【特許請求の範囲】
【請求項１】
被加熱物を収容する加熱室内に高周波を供給して前記被加熱物を加熱処理する高周波調理器にあって、前記加熱室内の庫内照明にＬＥＤ素子を用い、前記ＬＥＤ素子は加熱室壁面に近接され、光を加熱室内に照射するため、加熱室壁面に設けられた照明用孔を有し、前記照明用孔の形状を、四辺形とし、前記四辺形の照明用孔は、加熱室前面に被加熱物を自在に出し入れするための開口面と平行な加熱室奥の１辺の長さを、加熱室手前の１辺より長くした高周波調理器。
【請求項２】
前記ＬＥＤ素子は、複数の素子で構成され、異なる色温度の組み合わせにより同時点灯、片側点灯といった点灯パターンを持った請求項１に記載の高周波調理器。
【請求項３】
加熱室壁面に設けられた照明用孔とＬＥＤ素子の間に、前記ＬＥＤ素子の光を拡散し加熱室の庫内隅々まで照射するための透明拡散板を設けた請求項１または２に記載の高周波調理器。
【発明の詳細な説明】
【技術分野】
【０００１】
本発明は、ＬＥＤ素子を加熱室の庫内照明に用いた、高周波調理器に関するものである。
【背景技術】
【０００２】
従来、高周波調理器においては、その加熱目的とする食品の状況を観察する為に加熱室内の照明が設けられている。また、調理器として使用者に食品が美味しく加熱されているように視認される必要がある。
【０００３】
このような高周波調理器の加熱室内の照明として、電波を遮断する加熱室の壁面の外側に白熱電球が配置され、この壁面に複数の照明用孔（パンチング）が形成されたものがあった。また、照明装置としてＬＥＤ素子を複数個設置して、食品を照らすものもある（例えば、特許文献１参照）。
【先行技術文献】
【特許文献】
【０００４】
【特許文献１】特開平５−１６４３３１号公報
【発明の概要】
【発明が解決しようとする課題】
【０００５】
照明用孔が形成された加熱室壁面部分の電波の遮断特性は、壁の厚さ、照明用孔の孔径、孔間ピッチに依存し、加熱室の照度もまたこれらに依存する。
【０００６】
しかしながら、前記従来の構成では、電波の遮断特性を高めるためには孔径を小さくする必要があり、照度を高めるには孔径を大きくし、数を増やす必要がある。このように電波の遮断特性と加熱室内の照度とは相反する関係がある。
【０００７】
また、孔間ピッチについても、電波の遮断特性と加熱室内の照度とは相反する関係にあり、電波の遮断特性を高めるためには、孔間ピッチを大きくして孔の数を少なくする必要がある。こうすると照明装置の光の透過度が低く、加熱室の照度が低下し、孔ピッチ間の桟による影が出来たり、食品の視認性が劣ったりするために、照明装置の出力を高くしなければならないといった課題を有していた。
【０００８】
また、照明装置にＬＥＤ素子を用いた場合、ＬＥＤ素子は光源の大きさが小さく、光の指向性が強いため、さらに照明用孔の孔径や孔ピッチの影響を受けやすく、照度を保つためには、ＬＥＤ素子の個数を増やさないといけないといった課題も有していた。
【課題を解決するための手段】
【０００９】
前記従来の課題を解決するために、本発明の高周波調理器は、加熱室の庫内照明にＬＥＤ素子を用い、加熱室壁面に設けられたＬＥＤ素子の光を加熱室内に照射するための照明用孔の形状を、四辺形としたものである。
【００１０】
これにより、ＬＥＤ素子からの光は、四辺形の孔を通過し庫内に照射される。このとき、壁面に近接されたＬＥＤ素子は、光源の大きさが小さく、光の指向性が強いため、四辺形の照明用孔を通過する際に、光の透過度は落ちることなく、照射される。
【００１１】
また、四辺形の照明用孔は、加熱室前面の開口面と平行な加熱室奥の１辺の長さを、加
熱室手前の１辺より長くしたことにより、ＬＥＤ素子に輝度の高いものを用いた場合、前方への光を減らし、庫内奥への光を増やすことが出来、ＬＥＤ素子からの強い光が使用者の目に入ることなく、少ない個数のＬＥＤ素子で庫内全体を明るく照らすことが可能となる。
【発明の効果】
【００１２】
本発明の高周波調理器によれば、照明用孔の形状を、四辺形としたことにより、加熱室庫内の照明を電波の遮断特性を高めたまま、少ない数のＬＥＤ素子で加熱室の庫内隅々まで照射することが出来る。
【図面の簡単な説明】
【００１３】
【図１】（ａ）本発明の実施の形態１における高周波調理器の斜視図（ｂ）本発明の実施の形態１における高周波調理器の斜視図（ａ）のＡ部詳細図
【図２】本発明の実施の形態１における高周波調理器の構造を示す斜視図
【図３】本発明の実施の形態２における高周波調理器の要部構造図
【図４】本発明の実施の形態３における高周波調理器の要部詳細図
【図５】従来の高周波調理器の照明構造を示す斜視図
【発明を実施するための形態】
【００１４】
第１の発明は、被加熱物を収容する加熱室内に高周波を供給して前記被加熱物を加熱処理する高周波調理器にあって、前記加熱室内の庫内照明にＬＥＤ素子を用い、前記ＬＥＤ素子は加熱室壁面に近接され、光を加熱室内に照射するため、加熱室壁面に設けられた照明用孔を有し、前記、照明用孔の形状を、四辺形とし、前記四辺形の照明用孔は、加熱室前面に被加熱物を自在に出し入れするための開口面と平行な加熱室奥の１辺の長さを、加熱室手前の１辺より長くしたものである。
【００１５】
これにより、ＬＥＤ素子からの光は、四辺形の孔を通過し庫内に照射される。このとき、壁面に近接されたＬＥＤ素子は、光源の大きさが小さく、光の指向性が強いため、四辺形の照明用孔を通過する際に、光の透過度は落ちることなく、照射される。また、四辺形の照明用孔は、加熱室前面の開口面と平行な加熱室奥の１辺の長さを、加熱室手前の１辺より長くしたことにより、ＬＥＤ素子に輝度の高いものを用いた場合、前方への光を減らし、庫内奥への光を増やすことが出来、ＬＥＤ素子からの強い光が使用者の目に入ることなく、少ない個数のＬＥＤ素子で庫内全体を明るく照らすことが可能となる。
【００１６】
第２の発明は、ＬＥＤ素子を、複数の素子で構成し、異なる色温度の組み合わせにより同時点灯、片側点灯といった点灯パターンを持ったことを特徴にしたものである。
【００１７】
これによって、加熱する食品によって点灯パターンを変え、光の色味を変えることにより、食品の微妙な色合いを表現したり、片側点灯により、消費電力を抑え、省エネが可能となる。
【００１８】
第３の発明は、加熱室壁面の照明用孔とＬＥＤ素子の間に、透明拡散板を設けたことにより、ＬＥＤ素子から照射された光は、透明拡散板により拡散し加熱室の庫内隅々まで照射することが出来る。
【００１９】
以下、本発明の実施の形態について、図面を参照しながら説明する。なお、本実施の形態によって本発明が限定されるものではない。
【００２０】
（実施の形態１）
図１（ａ）は本発明の第１の実施の形態における高周波調理器の斜視図、（ｂ）は本発
明の第１の実施の形態における高周波調理器の斜視図（ａ）のＡ部詳細図、図２は本発明の第１の実施の形態における高周波調理器の構造を示す斜視図である。
【００２１】
図１（ａ）において、本発明の第１の実施の形態である高周波調理器本体は、被加熱物を出し入れするための加熱室開口３を有した加熱室２と、加熱室２の壁面のＡ部には、図１（ｂ）に示すように照明用孔１が設けられている。
【００２２】
図２において、加熱室の壁面には、壁面の外側に照明手段のＬＥＤ基板７と、加熱室２の庫内に冷却風を導くためのエアーガイド５と、ＬＥＤ基板７をエアーガイド５に固定保持するための基板ホルダー９が設けられて構成している。
【００２３】
以上のように構成した高周波調理器について、以下その動作、作用を説明する。
【００２４】
まず、加熱室２の壁面外側に設けられたＬＥＤ基板７の表面に配置されているＬＥＤ素子（図示せず）の光は、四辺形の形状をした照明用孔１を通過し庫内に照射される。このとき、壁面に近接されたＬＥＤ素子は、光源の大きさが３ｍｍ×３ｍｍや５ｍｍ×５ｍｍと小さく、また、光の指向性が強いため、四辺形の照明用孔１を、例えば、５ｍｍ×５ｍｍといった、電波の遮断特性に影響しない寸法でも、通過する光の妨げにならず、透過度は落ちることがない。
【００２５】
また、四辺形の照明用孔１は、加熱室前面の加熱室開口３と平行な加熱室奥の１辺の長さを、加熱室手前の１辺より長くした、例えば、加熱室奥の１辺を７ｍｍ、加熱室手前の１辺を５ｍｍとすることにより、ＬＥＤ素子に輝度の高いものを用いた場合、前方への光を減らし、庫内奥への光を増やすことが出来、ＬＥＤ素子からの強い光が使用者の目に入ることなく、少ない個数のＬＥＤ素子で庫内全体を明るく照らすことが可能となる。
【００２６】
（実施の形態２）
図３は、本発明の第２の実施の形態における高周波調理器の要部構造図である。なお、実施の形態１と同一または同等部分については、説明を省略あるいは簡略化する。
【００２７】
図３において、ＬＥＤ素子の光が通過する第１の照明孔１ａおよび第２の照明孔１ｂが加熱室壁面に設けられている。また、ＬＥＤ基板７の表面には第１のＬＥＤ素子７ａと、第２のＬＥＤ素子７ｂが配置されている。これらの、ＬＥＤ素子は異なる色温度の組み合わせで構成されており、同時点灯、片側点灯といった点灯パターンの制御を可能としている。
【００２８】
以上のように構成された高周波調理器では、例えば、第１のＬＥＤ７ａを色温度３０００Ｋ、第２のＬＥＤ７ｂを色温度５０００Ｋにすると、色あざやかな赤や緑といった食品には、演色性の高い第１のＬＥＤ７ａを単独で点灯させたり、食器の白を目立たせる場合や、庫内を清掃時に白く明るく照らしたい場合は、色温度の高い第２のＬＥＤ７ｂを単独で点灯させる。また、第１のＬＥＤ７ａと第２のＬＥＤ７ｂ同時に点灯することにより、上記ふたつの条件を満たすことも可能となる。
【００２９】
（実施の形態３）
図４は、本発明の第３の実施の形態における高周波調理器の要部詳細図である。
図４において、加熱室壁面の照明用孔１と、ＬＥＤ基板７の間に、透明拡散板８を設けて構成したものである。
【００３０】
以上のように構成された高周波調理器では、ＬＥＤ基板７に配置されたＬＥＤ素子から照射された光は、指向性が強いが、透明拡散板８により拡散され、加熱室の庫内隅々まで
照射することが出来る。
【産業上の利用可能性】
【００３１】
以上のように、本発明にかかる高周波調理器は、加熱室内の庫内照明にＬＥＤ素子を用い、照明用孔を四辺形にすることで、少ない数のＬＥＤ素子で庫内を明るく隅々まで照らすことが可能となり、省エネ、コストダウンも図れるので、高周波調理器に有効である。
【符号の説明】
【００３２】
１  照明用孔
２  加熱室
３  加熱室開口
４  白熱電球
５  エアーガイド
６  照明用パンチング
７  ＬＥＤ基板
８  透明拡散板
９  基板ホルダー
１ａ  第１の照明孔
１ｂ  第２の照明孔
７ａ  第１のＬＥＤ素子
７ｂ  第２のＬＥＤ素子
【図１】
0005747162.tif 000002
【図２】
0005747162.tif 000003
【図３】
0005747162.tif 000004
【図４】
0005747162.tif 000005
【図５】
0005747162.tif 000006